(57)【要約】    【課題】中継基板をより遊技盤に接近して配置できるようにする。    【解決手段】遊技盤１１の裏側に支持枠２２を装着された画像表示手段１４と、画像表示手段１４の下側の左右方向の略中央に遊技盤１１に装着され且つその後部が遊技盤１１の裏側に突出する入賞手段１６〜１８とを備え、遊技盤１１にその後部が遊技盤１１の裏側に突出する入賞手段１６〜１８を備え、遊技盤１１の裏側に遊技盤１１側の遊技動作を制御する主基板６５と、遊技部品１６〜１８と主基板６５とのハーネスを中継する中継基板２６とを備え、遊技盤１１から後方への突出量の大きい入賞手段１６，１７を避けて、入賞手段１６，１７の後端よりも前側に中継基板２６を配置する。【選択図】図４
2010115310.tif 000002
【特許請求の範囲】
【請求項１】
遊技盤（１１）にその後部が該遊技盤（１１）の裏側に突出する入賞手段等の遊技部品（１６〜１８）を備え、前記遊技盤（１１）の裏側に該遊技盤（１１）側の遊技動作を制御する主基板（６５）と、前記遊技部品（１６〜１８）と前記主基板（６５）とのハーネスを中継する中継基板（２６）とを備えた弾球遊技機において、前記遊技盤（１１）から後方への突出量の大きい前記遊技部品（１６，１７）を避けて、該遊技部品（１６，１７）の後端よりも前側に前記中継基板（２６）を配置したことを特徴とする弾球遊技機。
【請求項２】
前記遊技盤（１１）の裏側に支持枠（２２）を介して装着された画像表示手段（１４）の下側の左右方向の略中央に、前記遊技盤（１１）から後方への突出量の大きい入賞手段（１６，１７）を配置し、該入賞手段（１６，１７）よりも後方への突出量の小さい入賞手段（１８）をその側方に配置し、前記支持枠（２２）の下側で前記突出量の小さい入賞手段（１８）の裏側に、前記突出量の大きい入賞手段（１６，１７）を避けて前記中継基板（２６）を配置したことを特徴とする請求項１に記載の弾球遊技機。
【請求項３】
前記支持枠（２２）から下方に突出し且つ前記突出量の小さい入賞手段（１８）の少なくとも一部を裏側から覆う後壁部（３９）を前記突出量の大きい入賞手段（１６，１７）を避けて設け、前記遊技盤（１１）の裏側に前記突出量の大きい入賞手段（１８）及び前記後壁部（３９）を裏側から覆う裏カバー（２５）を設け、前記後壁部（３９）と前記裏カバー（２５）との間に前記中継基板（２６）を配置したことを特徴とする請求項２に記載の弾球遊技機。
【請求項４】
前記後壁部（３９）の裏側に前側へと凹入する凹部（１０３）を設け、該凹部（１０３）内に前記中継基板（２６）を配置したことを特徴とする請求項３に記載の弾球遊技機。
【請求項５】
前記後壁部（３９）の下端に前記突出量の大きい入賞手段（１６，１７）に沿って底壁部（４０）を設けたことを特徴とする請求項３又は４に記載の弾球遊技機。
【発明の詳細な説明】
【技術分野】
【０００１】
本発明は、パチンコ機、アレンジボール機その他の弾球遊技機に関し、遊技盤から後方への突出量の大きい遊技部品を避けて、この遊技部品の後端よりも前側に中継基板を配置するようにしたものである。
【背景技術】
【０００２】
遊技盤の遊技領域には入賞手段等の複数個の遊技部品が装着され、また遊技盤の裏側にはその各遊技部品による遊技動作を制御する主基板と、各遊技部品からのハーネスと主基板からのハーネスとを中継する中継基板とが装着され、中継基板を介して主基板と各遊技部品との間で信号の授受を行うようにしている（特許文献１）。
【０００３】
従来の中継基板は、機構部が遊技盤から後方に突出する入賞手段等の遊技部品と干渉しないように両者の間に所定の間隔を確保して、背面視において遊技部品と重なるように配置されている。
【特許文献１】実開平７−１７２８２号公報
【発明の開示】
【発明が解決しようとする課題】
【０００４】
従来の中継基板は背面視において機構部が遊技盤の裏側に突出する遊技部品と重なっているため、遊技盤から後方に大きく離れている。このため中継基板を裏側から覆う裏カバーを設け、その裏カバーの裏面に主基板ケース等の複数個の基板ケースを前後方向に積層状に装着する等の装着形態を採用することが困難になり、複数個の基板ケースを画像表示手段、裏カバーの裏側に積層せずに分散させて配置することになる。
【０００５】
即ち、パチンコ機は遊技ホールの島設備に設置する際の島設備との関係で前後方向の寸法を一定範囲内に収める必要がある。しかし、従来の中継基板は入賞手段等の遊技盤と干渉しないように遊技盤から後方に大きく離れて配置されているため、遊技部品、中継基板を裏側から覆う裏カバーを設ける場合には、裏カバーが遊技盤から後方へと更に大きく離れることになる。従って、裏カバーの裏面に複数個の基板ケースを前後方向に積層状に装着すれば、最後部の基板ケースが後方に大きく突出するため、各基板ケースを画像表示手段、裏カバーの裏側に積層せずに分散させて配置することになる。
【０００６】
しかし、画像表示手段の裏側に基板ケースを配置した場合には、画像表示手段をそれだけ遊技盤に接近させて配置しなければならず、遊技盤と画像表示手段との間のスペースを十分に確保できなくなる。このため近時のパチンコ機では、遊技盤と画像表示手段との間に可動演出手段等を配置する傾向にあるが、遊技盤と画像表示手段との間の十分なスペースを確保し難いことから、可動演出手段等の大型化を図ることが困難になるという欠点がある。
【０００７】
本発明は、このような従来の問題点に鑑み、中継基板をより遊技盤に接近して配置できる弾球遊技機を提供することを目的とする。
【課題を解決するための手段】
【０００８】
本発明は、遊技盤１１にその後部が該遊技盤１１の裏側に突出する入賞手段等の遊技部品１６〜１８を備え、前記遊技盤１１の裏側に該遊技盤１１側の遊技動作を制御する主基板６５と、前記遊技部品１６〜１８と前記主基板６５とのハーネスを中継する中継基板２６とを備えた弾球遊技機において、前記遊技盤１１から後方への突出量の大きい前記遊技部品１６，１７を避けて、該遊技部品１６，１７の後端よりも前側に前記中継基板２６を配置したものである。
【発明の効果】
【０００９】
本発明によれば、中継基板２６をより遊技盤１１に接近して配置することができる利点がある。
【発明を実施するための最良の形態】
【００１０】
以下、本発明の実施形態を図面に基づいて詳述する。図面は本発明をパチンコ機に採用した一実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ（図示省略）により縦軸廻りに開閉自在に枢支されている。
【００１１】
前面板６の前側には発射用の遊技球を貯留する球供給皿８が配置され、その側方に遊技球を発射する発射手段９の発射ハンドル１０が設けられている。ガラス扉５の裏側には、このガラス扉５に対応するように前枠４に遊技盤１１が着脱自在に装着されている。
【００１２】
遊技盤１１の前面には、発射手段９から発射された遊技球を案内するガイドレール１２が略円弧状に配置されると共に、そのガイドレール１２の内側の遊技領域１３に画像表示手段１４、普通図柄始動手段１５、特別図柄始動手段１６、大入賞手段１７、普通入賞手段１８等の各種の遊技部品が配置されている。なお、遊技領域１３はガラス扉５の窓孔１９に対応している。
【００１３】
画像表示手段１４は液晶式であって、図２〜図４に示すように、遊技領域１３の略中央に形成された表示窓２１に対応して遊技盤１１の裏側に支持枠２２を介して装着され、遊技中の遊技状態に応じて、例えば特別図柄表示手段（図示省略）の特別図柄に同期して変動する演出図柄、この演出図柄の背景となる背景画像、或いは大当たり態様を予告する予告演出画像等を適宜表示し、また遊技中以外のときにはデモ画像等を表示するようになっている。なお、遊技盤１１の前面には表示窓２１の前端開口の外周を飾る前飾り体２３が装着され、また前飾り体２３の内周と画像表示手段１４との間には表示窓２１を取り囲む窓カバー２４（図４参照）が設けられている。
【００１４】
普通図柄始動手段１５は表示窓２１のガイドレール１２側の側部に、特別図柄始動手段１６、大入賞手段１７、普通入賞手段１８は表示窓２１の下部側に夫々配置されている。普通図柄始動手段１５は遊技球の通過を検出したときの普通図柄表示手段（図示省略）の普通図柄を所定時間変動させるようになっている。特別図柄始動手段１６は固定入賞口１６ａと、普通図柄表示手段の変動後の普通図柄が当たり態様で停止したときに所定時間開放する可変入賞口１６ｂとを上下に有し、その何れかの入賞口１６ａ，１６ｂに遊技球が入賞したときに特別図柄表示手段の特別図柄を所定時間変動させるようになっている。大入賞手段１７は、特別図柄表示手段の変動後の特別図柄が大当たり態様で停止したときに開閉板が前側に所定回数開放するようになっている。
【００１５】
特別図柄始動手段１６、大入賞手段１７、普通入賞手段１８の内、特別図柄始動手段１６、大入賞手段１７は図４に示すように遊技盤１１の裏側への突出量が大であり、普通入賞手段１８の突出量は特別図柄始動手段１６、大入賞手段１７に比して小さくなっている。そして、突出量の大きい特別図柄始動手段１６、大入賞手段１７はその機構部１６ｃ，１７ａが遊技盤１１の裏側に突出するように、表示窓２１の下側で左右方向の略中央で上下に装着されている。また突出量の小さい普通入賞手段１８は、大入賞手段１７の左右両側に装着されている。
【００１６】
普通入賞手段１８は大入賞手段１７に対してガイドレール１２側の片側に配置してもよい。また特別図柄始動手段１６、大入賞手段１７、普通入賞手段１８は何れも遊技球が入賞したときに、その遊技球を遊技盤１１の裏側へと誘導して落下させるようになっている。従って、特別図柄始動手段１６は一種の入賞手段を構成する。
【００１７】
遊技盤１１の裏側には図２〜図４に示すように支持枠２２と裏カバー２５とが上下に近接して装着されている。支持枠２２の上部裏側には画像表示手段１４が、下部裏側には中継基板２６が夫々装着されている。画像表示手段１４は液晶式の画像表示部２７と、この画像表示部２７のバックライトを高周波駆動する等、画像表示部２７に電源を供給するインバータ基板２８とを備え、その画像表示部２７とインバータ基板２８は、前後に重ならないように保持枠４３に左右に配置されている。
【００１８】
裏カバー２５は特別図柄始動手段１６、大入賞手段１７、普通入賞手段１８、支持枠２２の下部、中継基板２６等を裏側から覆うもので、特別図柄始動手段１６、大入賞手段１７、普通入賞手段１８に入賞して遊技盤１１の裏側へと誘導された遊技球を集めて下方へと落下させるように構成されている。なお、この裏カバー２５は大入賞手段１７等に入賞した遊技球を集めて下方へと落下させる集球ケースを兼用しているが、裏カバー２５内に別途集球ケース又は集球案内部材を設けてもよい。
【００１９】
支持枠２２は図４、図５に示すように遊技盤１１から後方への突出量の大きい上半部３０と、この上半部３０の下側に設けられ且つ遊技盤１１から後方への突出量の小さい下半部３１とを有し、上半部３０の裏側に画像表示手段１４が、下半部３１の裏側に中継基板２６が夫々装着されている。
【００２０】
上半部３０は表示窓２１の外周を取り囲むもので、上周壁部３２と、上周壁部３２の左右両端から下方へと屈曲する左右一対の横周壁部３３と、横周壁部３３の上下方向に中間に配置された下周壁部３４と、これらの後端に連接する上後壁部３５とを一体に備え、正面視形状が略矩形状になっている。各横周壁部３３は前後方向の中間に段差部３６を有し、その段差部３６よりも前側が可動演出手段の側部機構、その他の所要機構（図示省略）を収容する収容空間３７となっている。
【００２１】
下半部３１は各横周壁部３３の段差部３６より前側から下方に延びる左右一対の横壁部３８と、下周壁部３４の前端から下方に屈曲し且つ横壁部３８の後端間を左右に接続する下後壁部３９と、下後壁部３９の下端から前側に屈曲する底壁部４０とを備え、その前側が可動演出手段等の下部機構、その他の所要機構（図示省略）を収容する収容空間４１となっている。支持枠２２は上半部３０の上周壁部３２及び横周壁部３３と、下半部３１の横壁部３８及び底壁部４０の前端が遊技盤１１の裏面に当接して固定されている。
【００２２】
なお、支持枠２２の内周には、窓カバー２４の上側にも所定の収容空間４１ａがあり、必要に応じてその収容空間３７，４１，４１ａの全周又は一部に可動演出手段、固定式装飾手段、発光演出手段等を配置できるようになっている。また可動演出手段、固定式装飾手段、発光演出手段を配置する場合には、窓カバー２４に開口を設ける等により、それらと窓カバー２４とが干渉しないようにすればよい。
【００２３】
下半部３１は図４に示すように突出量の大きい特別図柄始動手段１６と略同程度の突出量であって、後方への突出量の大きい特別図柄始動手段１６、大入賞手段１７を避けて、突出量の小さい普通入賞手段１８を覆うようになっている。
【００２４】
この実施例では、左右方向の寸法の大きい大入賞手段１７が下側に、この大入賞手段１７の上側の左右略中央に左右方向の寸法の小さい特別図柄始動手段１６が配置されているため、支持枠２２の下後壁部３９、底壁部４０は、この特別図柄始動手段１６、大入賞手段１７を避けてその上側近傍にあり、下端形状は特別図柄始動手段１６に対応する中央が深く、その左右両側が大入賞手段１７に対応して浅くなる二段状に上側へと凹入している。下周壁部３４の左右両端と左右の横周壁部３３の下端との間は、左右の普通入賞手段１８からの遊技球が裏カバー２５内に落下すべく開放部４０ａとなっている。
【００２５】
保持枠４３は図４〜図６に示すように横方向に長く前後方向に薄い横長偏平状であって、画像表示部２７に対応して矩形状に形成され且つ前側へと開放する第１凹部４４と、この第１凹部４４の横にインバータ基板２８に対応して縦長状に形成され且つ後側へと開放する第２凹部４５とを有し、その第１凹部４４には画像表示部２７が前側から、第２凹部４５にはインバータ基板２８が裏側から夫々嵌合して固定されている。第１凹部４４の底壁には放熱孔４６等が設けられている。
【００２６】
画像表示手段１４、即ち画像表示部２７、インバータ基板２８を含む保持枠４３側は、前後方向の寸法が小さい薄型偏平状であり、図２に示すように支持枠２２の上後壁部３５の裏面に前側へと凹入して形成された取り付け凹部４７に裏側から嵌合して、下部側の左右一対の係合手段４８と、その上側の左右一対のネジ等の締結手段４９とにより着脱自在に固定されている。係合手段４８は図７に示すように取り付け凹部４７内に設けられた係合部５０と、保持枠４３に設けられ且つ係合部５０に係脱自在に係合するた被係合部５１とを備えている。
【００２７】
なお、支持枠２２の上後壁部３５にはその取り付け凹部４７の底部側に画像表示部２７に対応して開口５２が形成されており、遊技盤１１の前面から表示窓２１、開口５２を経て画像表示部２７の画像を視認可能である。
【００２８】
遊技盤１１から画像表示部２７、インバータ基板２８、保持枠４３を含む画像表示手段１４の後端までの寸法は、図４に示すように遊技盤１１から支持枠２２の後端までの寸法と略同一であり、両者の後端面は遊技盤１１と略平行な略平坦状になっている。つまり、画像表示手段１４はその略全体が支持枠２２の取り付け凹部４７内に収まっている。
【００２９】
画像表示手段１４を支持枠２２の後端部に取り付ける際には、保持枠４３の下部を支持枠２２の取り付け凹部４７内に挿入した状態で被係合部５１を係合部５０に係合した後、係合手段４８を支点として保持枠４３を取り付け凹部４７内に嵌合して左右の締結手段４９により保持枠４３を支持枠２２に締結すればよい。
【００３０】
インバータ基板２８は画像表示部２７と前後に重ならないようにその横に縦長状に配置され、第２凹部４５に嵌合して着脱自在に固定されている。第２凹部４５内には、図２、図６、図８、図９に示すように、その下壁部４５ａにインバータ基板２８の下端が係脱自在に係合する係合部５４が設けられ、また底壁部４５ｂにインバータ基板２８を前側から受ける受け部５５が、画像表示部２７と反対側の側壁部４５ｃには受け部５５との間でインバータ基板２８の上部側を挟む係止爪５６が夫々設けられており、インバータ基板２８は第２凹部４５の底壁部４５ｂ近傍で略平行に保持されている。
【００３１】
係止爪５６は前端がインバータ基板２８に係脱すべく左右方向に弾性変形可能であり、その内側にはインバータ基板２８を第２凹部４５内へと案内する案内面５６ａが傾斜状に形成されている。側壁部４５ｃには係止爪５６の弾性変形を容易にするためにその近傍にＬ字状等のスリット５７が設けられている。インバータ基板２８には、その裏面側に各種の電子部品が装着されている。
【００３２】
インバータ基板２８を保持枠４３の第２凹部４５内に装着する際には、インバータ基板２８の下端を第２凹部４５内に挿入して係合部５４に係合し、その下端を支点としてインバータ基板２８の上部側を第２凹部４５内に押し込む。するとインバータ基板２８の上部側の側縁が係合爪５６の案内面５６ａに案内され、係合爪５６が外側へと弾性変形してインバータ基板２８が係合爪５６を通過する。
【００３３】
インバータ基板２８が係合爪５６を通過すると、インバータ基板２８が受け部５５に当接すると共に、係合爪５６が復帰してインバータ基板２８に係合し、これによってインバータ基板２８を第２凹部４５内に固定できる。逆に係合爪５６の案内面５６ａ側を外側に押圧すれば、係合爪５６がインバータ基板２８から外れ、第２凹部４５内のインバータ基板２８を取り外すことができる。
【００３４】
なお、インバータ基板２８の固定構造は、係合部５４、受け部５５、係止爪５６によるものに限定されず、これ以外のものを採用してもよい。インバータ基板２８には裏側にコネクタその他の電子部品が装着されているが、それらは上後壁部３５から後方に突出しないように第２凹部４５の深さ内に収まっている。
【００３５】
裏カバー２５は図４、図１０、図１１に示すようにその裏側にケース取り付け部６０を有し、そのケース取り付け部６０に、表示基板６１を収容する表示基板ケース６２と、演出基板６３を収容する演出基板ケース６４と、主基板６５を収容する主基板ケース６６とが前後方向に積層状に装着され、またケース取り付け部６０の側方に電気系統の接続手段６７が装着されている。
【００３６】
なお、表示基板６１、演出基板６３により副基板が構成され、表示基板ケース６２、演出基板ケース６４により副基板ケースが構成されている。１枚の副基板に演出制御機能、表示制御機能を持たせて、この副基板を１個の副基板ケースに収容してもよい。
【００３７】
裏カバー２５は図４、図５、図１０〜図１２に示すように、支持枠２２の横壁部３８の外側に近接する左右一対の側壁部６９と、この側壁部６９間を接続する底壁部７０と、これら側壁部６９及び底壁部７０の後端間を塞ぐ後壁部７１とを一体に備え、側壁部６９、底壁部７０の前端が遊技盤１１の裏側に当接して固定されている。底壁部７０には、遊技盤１１の裏側で遊技球を下方に排出する排出口７２が設けられている。後壁部７１は支持枠２２の下後壁部３９の裏側に、下周壁部３４の下側に夫々接近して配置されている。
【００３８】
裏カバー２５の裏面は基板ケース６２，６４，６６用のケース取り付け部６０となっている。ケース取り付け部６０は図５、図１０〜図１２に示すように、外周に後壁部７１から裏側に突出して基板ケース６２，６４，６６を取り囲む横長矩形状の囲繞壁（囲繞枠）７３が設けられ、各基板ケース６２，６４，６６はこの囲繞壁７３内で前後方向に積層され固定手段７４により纏めて着脱自在に嵌合されている。遊技盤１１から最後部の基板ケース６２，６４，６６の裏面までの寸法は、遊技盤１１から画像表示手段１４の裏面までの寸法と略同一であり、画像表示手段１４の裏面と最後部の主基板ケース６６の裏面は遊技盤１１と略平行な略面一状になっている。
【００３９】
固定手段７４は図１１、図１２に示すように、左右方向の一側に各基板ケース６２，６４，６６に対応して設けられた３個の係合手段７５と、他側に設けられた各基板ケース６２，６４，６６に共通の１個の係止手段７６とにより構成されている。各係合手段７５は基板ケース６２，６４，６６の左右方向の一端側に設けられた被係合部７７と、被係合部７７に対応して囲繞壁７３の一側壁７８の内面に設けられ且つ被係合部７７が係脱自在に係合する３個の係合部７９とを有し、各基板ケース６２，６４，６６毎に上下方向に位置を変えて設けられている。一側壁７８の内面には、係合時に各基板ケース６２，６４，６６の被係合部７７が入る凹入部８０が形成され、その凹入部８０の後端側が係合部７９となっている。
【００４０】
各被係合部７７は各基板ケース６２，６４，６６毎に上下方向に位置を変えて設けられている。各係合部７９は各基板ケース６２，６４，６６の各被係合部７７に対応して上下方向に設けられており、上側の係合部７９が下後壁部３９に近く、中間、下側の各係合部７９が下後壁部３９から順次離れるように配置されている。各基板ケース６２，６４，６６の被係合部７７、一側壁７８の係合部７９は逆に配置してもよい。
【００４１】
係止手段７６側の囲繞壁７３には、各基板ケース６２，６４，６６からのハーネスの取り出し口８１が切り欠き状に形成され、この取り出し口８１の上下方向の一側に係止手段７６が設けられている。係止手段７６は取り出し口８１の一側で下後壁部３９から後方に突出する係止爪８２を備えている。係止爪８２は係脱方向（左右方向）に弾性変形可能であり、その後端部には最後部の主基板ケース６６の他端側に係脱自在に係止する係止部８２ａと、基板ケース６２，６４，６６の装着時にその他端側を囲繞壁７３内へと案内する案内面８２ｂとが設けられている。
【００４２】
ケース取り付け部６０に各基板ケース６２，６４，６６を取り付ける場合には、先ず表示基板ケース６２の被係合部７７側を囲繞壁７３内に嵌めて、その被係合部７７を凹入部８０内に挿入して係合部７９に前側から係合した後、その係合部７９側を支点として表示基板ケース６２の他端側を囲繞壁７３内に押し込む。同様にして演出基板ケース６４、主基板ケース６６の各被係合部７７を係合部７９に係合し、その係合部７９側を支点として演出基板ケース６４、主基板ケース６６の他端側を囲繞壁７３内に押し込む。
【００４３】
そして、表示基板ケース６２が裏カバー２５の裏面に当接し、演出基板ケース６４が表示基板ケース６２の裏面に、主基板ケース６６が演出基板ケース６４の裏面に夫々当接すると、係止爪８２の係止部８２ａが主基板ケース６６の他端側を係止するため、各基板ケース６２，６４，６６を纏めてケース取り付け部６０に固定できる。各基板ケース６２，６４，６６を取り外す場合には、係止爪８２を外側へと弾性変形させて係止を解除すればよい。
【００４４】
各基板ケース６２，６４，６６は何れも背面視形状が略同一の横長矩形状であって、前後方向の寸法が小さい薄型状になっている。表示基板ケース６２、演出基板ケース６４は、図１０〜図１３に示すように基板６１，６３，６５を表裏両側から覆う底側の第１ケース体８５と蓋側の第２ケース体８６とを備えている。そして表示基板ケース６２、演出基板ケース６４には両ケース体８５，８６を合わせて基板６１，６３の板面方向に相対的に摺動させたときに両ケース体８５，８６を分離不能にロックするロック手段８７が設けられている。
【００４５】
第１ケース体８５はその外周から第２ケース体８６側に突出する外周壁部８８を有する。第２ケース体８６はその外周から第１ケース体８５側に突出し且つ外周壁部８８内に上下方向に相対自在に嵌合する内周壁部８９と、内周壁部８９の外周に形成され且つ分離不能にロックしたときに外周壁部８８の端面に当接する外周縁９０とを有する。
【００４６】
なお、第１ケース体８５に外周壁部８８が設けられ、第２ケース体８６に内周壁部８９と外周縁９０とが設けられているが、逆に第１ケース体８５に内周壁部８９と外周縁９０とが設けられ、第２ケース体８６に外周壁部８８が設けられたものでもよい。その場合、基板６１，６３，６５は第２ケース体８６に取り付けてもよいし、第１ケース体８５に取り付けてもよい。
【００４７】
基板ケース６２，６４の第２ケース体８６には上部側にコネクタ孔９１を有する段部９２が形成されている。基板６１，６３はそのコネクタ孔９１からコネクタ９１ａが突出するように段部９２に当接又は近接して第２ケース体８６内にネジ等により着脱自在に固定されている。なお、基板６１，６３にはコネクタ９１ａと同一の裏面側にその他の電子部品が装着されている。
【００４８】
ロック手段８７は相対摺動方向と略直交する方向の対向辺に設けられている。このロック手段８７は図１３、図１４に示すように、内周壁部８９を外周壁部８８内に嵌合させた嵌合状態で内周壁部８９の下部が外周壁部８８の下部に当接するまで両ケース体８５，８６を上下方向に相対的に摺動させたときに夫々係合して、両ケース体８５，８６の基板の板厚方向への相対移動を規制する第１係合手段９３と、板面方向への相対摺動を規制する第２係合手段９４とを左右の対向辺に備えている。
【００４９】
第１係合手段９３は第１ケース体８５の外周壁部８８の左右両側の内周面に設けられた上下一対の係合部９５と、第２ケース体８６の内周壁部８９の左右両側の外周面に設けられ且つ各係合部９５に係合する上下一対の被係合部９６とを有する。上下一対の被係合部９６の内、上側の被係合部９６は内周壁部８９の上端又はその近傍に配置され、この上側の被係合部９６に対応する上側の係合部９５は、外周壁部８８の上側内周から少なくとも上側の被係合部９６の上下寸法分の間隔をおいて配置されている。下側の係合部９５、被係合部９６は、上側の係合部９５、被係合部９６から所定の間隔をおいて配置されている。なお、上側の被係合部９６は内周壁部８９の近傍よりも下に配置してもよい。
【００５０】
第２係合手段９４は第１ケース体８５の外周壁部８８の内周面で上下の係合部９５間に設けられた係合部９７と、第２ケース体８６の内周壁部８９の外周で上下の被係合部９６間に設けられ且つ両ケース体８５，８６を相対摺動させたときに下側から係合する係合爪９８とを備えている。係合爪９８は内周壁部８９との間にＬ字状のスリット９９を介して設けられ、内外方向に弾性変形可能である。
【００５１】
各基板ケース６２，６４を組立てる際には、第２ケース体８６内に基板６１，６３を入れてネジ等で固定する。次に図１５（Ａ）（Ｂ）に示すように、第１ケース体８５の外周壁部８８の上部と上側の係合部９５との間に、第２ケース体８６の上側の被係合部９６を対応させて第１ケース体８５の外周壁部８８内に第２ケース体８６の内周壁部８９を嵌合させる。これによって第２ケース体８６の内周壁部８９が第１ケース体８５に当接し、また外周壁部８８の先端に外周縁９０を当接又は近接する。
【００５２】
続いて第１ケース体８５に対して第２ケース体８６を相対的に下側へと摺動させると、図１５に示すように、第１係合手段９３の係合部９５と被係合部９６とが係合し、第２係合手段９４の係合爪９８が弾性変形しながら係合部９７を通過して下側から係合する。
【００５３】
これによって第１ケース体８５と第２ケース体８６とを分離不能に結合できる。また第１ケース体８５の外周壁部８８の先端には第２ケース体８６の外周縁９０が当接しており、第１ケース体８５の開口側を第２ケース体８６により全周で塞ぐことができる。第２ケース体８６の外周縁９０は、第２ケース体８６を下側へと摺動させてロックするため、その摺動量を考慮して他の部分よりも若干長くなっている。
【００５４】
なお、第１ケース体８５に対して第２ケース体８６を上側へと摺動させるようにしてもよい。また第１ケース体８５、第２ケース体８６は左右方向に相対的に摺動させるようにしてもよい。その場合には、第１係合手段９３、第２係合手段９４は上下両側に夫々配置すればよい。
【００５５】
主基板ケース６６も図１０、図１１に示すように、他の基板ケース６２，６４と同様に第１ケース体８５と第２ケース体８６とに分割されており、この第１ケース体８５と第２ケース体８６は左右方向に相対的に摺動させることにより係脱自在に係合する係合手段（図示省略）によって開閉自在に結合されている。第２ケース体８６には上部側左右方向の一側部にコネクタ孔９１を有する段部９２が形成され、その段部９２に当接して第２ケース体８６内に主基板６５がネジ等で固定されている。
【００５６】
主基板ケース６６の左右方向の他端側には、図２、図３に示すように第１ケース体８５と第２ケース体８６とを封止する封止手段１０１が上下方向に複数個設けられると共に、第１ケース体８５と第２ケース体８６とを開閉可能に連結する連結体１０２が設けられている。封止手段１０１は特定の部位を切断したときに両ケース体８５，８６の封止を解除して開閉可能であり、その特定の部位に切断の痕跡が残るようになっている。連結体１０２は両ケース体８５，８６を分離不能に連結するもので、両ケース体８５，８６を開閉できるように可撓性を有する。連結体１０２の一端は第１ケース体８５の外側面等に、他端は第２ケース体８６の封止手段１０１の近傍等に夫々接着、その他で固着されている。
【００５７】
中継基板２６は、主基板６５に接続されたハーネス、普通図柄始動手段１５、特別図柄始動手段１６、大入賞手段１７、普通入賞手段１８、遊技盤１１に装着された可動演出手段（図示省略）等の遊技部品の電気的部分（電子的部分を含む）と主基板６５、演出基板６３とを相互に中継するためのもので、図４、図１０、図１６に示すように遊技盤１１から裏側に突出する特別図柄始動手段１６、大入賞手段１７等の機構部１６ｃ，１７ａを避けてその上側近傍に遊技盤１１と略平行に配置されている。
【００５８】
この中継基板２６は支持枠２２の下後壁部３９の裏面から前側へと凹入状に形成された凹部１０３内に配置され、凹部１０３内の取り付けボス等に裏側からネジ等を介して着脱自在に固定されている。中継基板２６の裏側には複数個のコネクタが装着され、そのコネクタに普通図柄始動手段１５、特別図柄始動手段１６、大入賞手段１７、普通入賞手段１８等からのハーネス、主基板６５からのハーネス、演出基板６３からのハーネス等が夫々着脱自在に接続されている。その他、必要に応じて中継基板２６は、画像表示手段１４と表示基板６１とを中継するようにしてもよい。
【００５９】
なお、中継基板２６が電源を中継する場合には、この中継基板２６は主基板６５、演出基板６３の他、表示基板６１、インバータ基板２８等にもハーネスを介して接続される。主基板６５は演出基板６３に、演出基板６３は表示基板６１に夫々中継基板２６を経由せずに接続されている。
【００６０】
また中継基板２６は特別図柄始動手段１６、大入賞手段１７を避けながら十分な面積を確保するために、その下縁が底壁部４０の屈曲形状に沿う形状になっているが、左右方向に長い横長矩形状でもよいし、縦長状のものを左右に２個配置してもよい。
【００６１】
接続手段６７は図２、図３に示すように遊技盤１１の裏側の複数個のコネクタ１０５と、これに対応する前枠４側の複数個のコネクタ（図示省略）とを備え、遊技盤１１を前枠４の所定の装着部に装着したときに、その各コネクタ１０５が前枠４側の各コネクタに接続して、遊技盤１１側の電気回路と前枠４側の電気回路とを接続するようになっている。遊技盤１１の裏側のコネクタ１０５は取り付け台１０６を介して裏カバー２５に装着されている。
【００６２】
このような構成のパチンコ機では、次のような利点がある。即ち、主基板ケース６６と、副基板ケースを構成する表示基板ケース６２及び演出基板ケース６４とを、画像表示手段１４から外れた位置で前後方向に積層状に配置して固定手段７４により纏めて固定しているので、従来に比較して全体の前後方向の寸法を小さく抑えつつ画像表示手段１４をできる限り遊技盤１１の後方に配置することができる。このため遊技盤１１と画像表示手段１４との間に可動演出手段等を配置する場合にも、遊技盤１１と画像表示手段１４とのスペースを大きく確保でき、大型の可動演出手段等を容易に配置することができる。
【００６３】
また遊技盤１１から最後部の主基板ケース６６の裏面までの寸法が、遊技盤１１から画像表示手段１４の裏面までの寸法と略同一であるため、画像表示手段１４、主基板ケース６６を前後方向の許容寸法内の後部に配置することが可能になり、前後方向の許容寸法を最大限に活用することができる。
【００６４】
しかも画像表示手段１４を装着する支持枠２２の下側に特別図柄始動手段１６、大入賞手段１７、普通入賞手段１８を覆う裏カバー２５を設け、この裏カバー２５の裏面が基板ケース６２，６４，６６用のケース取り付け部６０となっているため、支持枠２２の上半部３０の突出量を大きくしながら裏カバー２５の突出量を小さくして、ケース取り付け部６０から画像表示手段１４の後端までの寸法を各基板ケース６２，６４，６６の積層寸法に一致させることが容易である。
【００６５】
ケース取り付け部６０はその外周に裏カバー２５の後壁部７１から後方に突出する囲繞壁７３があり、この囲繞壁７３内に各基板ケース６２，６４，６６が裏側から着脱自在に嵌合しているので、各基板ケース６２，６４，６６の全てが露出した状態に比較して纏まりがよく、各基板ケース６２，６４，６６に対するハーネス等の絡まりを防止できるだけでなく、各基板ケース６２，６４，６６を着脱する際に個々の基板ケース６２，６４，６６が不測に脱落するようなこともない。
【００６６】
各基板ケース６２，６４，６６、ケース取り付け部６０は横長状であり、固定手段７４は各基板ケース６２，６４，６６に個別に対応してケース取り付け部６０の左右方向の一側に配置された係合手段７５と他側に配置された係止手段７６とを備えているので、支持枠２２に沿ってその下側に各基板ケース６２，６４，６６を配置でき、また個々の各基板ケース６２，６４，６６に個別に対応する係合手段７５があるため、他方側は１個の係止手段７６で各基板ケース６２，６４，６６を固定することができる。
【００６７】
各係合手段７５は基板ケース６２，６４，６６に設けられた被係合部７７と、囲繞壁７３に設けられ且つ各被係合部７７が係脱自在に係合する係合部７９とを備え、係止手段７６は最後部の主基板ケース６６を係脱自在に係止するようになっているため、各係合手段７５、係止手段７６を構造的にも簡単にすることができる。
【００６８】
表示基板ケース６２、演出基板ケース６４は第１ケース体８５と第２ケース体８６とを合わせて基板６１，６３の板面方向に相対的に摺動させたときにロック手段８７により両ケース体８５，８６を分離不能にロックするため、ロック手段８７によりロックした後の不正な開閉を防止できる。
【００６９】
また基板ケース６２，６４，６６の不正な開放を防止するためにロック手段８７の他に封止手段等を設ける必要がないので、簡単な構造で安価に製作できる上に、基板ケース６２，６４全体を薄型化することができる。このため複数の基板ケース６２，６４，６６を前後方向に積層状に配置できることから、画像表示手段１４の裏側に一部の基板ケース６２，６４，６６を配置するような必要もなく、この点からも画像表示手段１４をできる限り遊技盤１１の後方に配置することができる。
【００７０】
しかもロック手段８７は両ケース体８５，８６を板面方向に摺動させたときに夫々係合して、両ケース体８５，８６の基板の板厚方向への相対移動を規制する第１係合手段９３と、両ケース体８５，８６の板面方向への相対摺動を規制する第２係合手段９４とに分けているため、ロック手段８７の構造を簡単にできる。
【００７１】
両ケース体８５，８６の内、その一方のケース体８５，８６に外周壁部８８が、他方に基板６１，６３の外周に設けられ且つ外周壁部８８に嵌合する内周壁部８９が夫々あり、両ケース体８５，８６の相対摺動方向と略直交する方向の両側で相対向する両周壁部８８，８９相互間にロック手段８７があるため、ロック手段８７が外周壁部８８の外側、内周壁部８９の内側に夫々出ないように構成できる。
【００７２】
両ケース体８５，８６がロック状態のときに外周壁部８８の先端に当接又は近接して、外周壁部８８と内周壁部８９との間の少なくともロック手段８７に対応する部分を覆う外周縁９０があるため、ロック手段８７が両周壁部８８，８９間から露出することがなく、外部からの不正な解除を防止できる。
【００７３】
また一方のケース体８５，８６の外周壁部８８の対向辺には、その各対向辺の長手方向の中間に第２係合手段９４があり、この第２係合手段９４の両側に第１係合手段９３があるため、両ケース体８５，８６の対向辺側に工具その他を挿入して不正にこじ開けられる惧れも少なくなる。両ケース体８５，８６の一方に、基板６１，６３のコネクタ９１ａが嵌合して突出するコネクタ孔９１を備え、両ケース体８５，８６の相対摺動時に基板６１，６３が一方のケース体８５，８６と一体に移動するようにしているため、基板６１，６３を一方のケース体８５，８６に固定するか否かを問わず、コネクタ９１ａとコネクタ孔９１との隙間を小さくできる。
【００７４】
突出量の大きい特別図柄始動手段１６、大入賞手段１７等の遊技部品を避けて、その遊技部品の後端よりも前側に中継基板２６を配置することにより、中継基板２６を遊技盤１１に接近して配置することができ、その裏側に裏カバー２５等の他の機構部品を配置する場合にも、その機構部品の裏側への突出を極力防止することができる。
【００７５】
このため特別図柄始動手段１６、大入賞手段１７、中継基板２６を覆う裏カバー２５を遊技盤１１に接近させて設け、その裏カバー２５の裏側に各基板ケース６２，６４，６６を積層状に配置できることから、画像表示手段１４の裏側に一部の基板ケース６２，６４，６６を配置するような必要がなく、画像表示手段１４をできる限り遊技盤１１の後方に配置することができる。
【００７６】
特別図柄始動手段１６、大入賞手段１７、普通入賞手段１８の内、遊技盤１１から後方への突出量の大きい特別図柄始動手段１６、大入賞手段１７が左右方向の略中央に、これらよりも後方への突出量の小さい普通入賞手段１８がその側方に配置されており、支持枠２２の下側で普通入賞手段１８の裏側に中継基板２６が配置されているので、中継基板２６の左右を略対称形状にすることができると共に、中継基板２６の面積を大きくすることができる。
【００７７】
しかも支持枠２２から下方に突出し且つ普通入賞手段１８を裏側から覆う下後壁部３９を特別図柄始動手段１６、大入賞手段１７を避けて設け、遊技盤１１の裏側に特別図柄始動手段１６、大入賞手段１７及び下後壁部３９を裏側から覆う裏カバー２５を設け、下後壁部３９と裏カバー２５との間に中継基板２６を配置しているので、中継基板２６を遊技盤１１に接近させて配置しながらも、下後壁部３９と裏カバー２５とにより中継基板２６を前後両側から覆うことができる。
【００７８】
下後壁部３９の裏側に前側へと凹入する凹部１０３を設け、この凹部１０３内に中継基板２６を配置することにより、コネクタとの干渉を避けながら下後壁部３９と裏カバー２５とを接近させて配置できる。
【００７９】
画像表示手段１４は画像表示部２７とインバータ基板２８とを前後に重ならないように配置しているので、画像表示部２７の裏側にインバータ基板２８を配置する場合に比較して前後方向の寸法を小さくして薄型化することができる。横長偏平状の保持枠４３に画像表示部２７とインバータ基板２８とを左右に配置し、この保持枠４３を遊技盤１１の裏側の支持枠２２に裏側から着脱自在に装着しているため、画像表示部２７、インバータ基板２８を一体として取り扱うことができると共に、画像表示手段１４の上下方向の寸法を小さくでき、保持枠４３が裏カバー２５側の基板ケース６２，６４，６６と干渉するようなこともない。
【００８０】
また支持枠２２の下後壁部３９に前側へと凹入する取り付け凹部４７を形成し、その取り付け凹部４７内に保持枠４３を裏側から嵌合して着脱自在に固定し、遊技盤１１から画像表示部２７、インバータ基板２８を含む保持枠４３の後端までの寸法が遊技盤１１から支持枠２２の後端までの寸法とが略同一であるので、支持枠２２の後端からの画像表示手段１４の突出を防止することができる。
【００８１】
以上、本発明の各実施例について詳述したが、本発明はこの各実施例に限定されるものではなく、本発明の趣旨を逸脱しない範囲で種々の変更が可能である。例えば、各実施例では、表示基板ケース６２、演出基板ケース６４、主基板ケース６６との背面視形状を略同じ大きさにしているが、異なる大きさでもよい。その場合でも、最後部に配置される基板ケース６６は、その前側の基板ケース６２，６４を覆うような大きさとすることが望ましい。
【００８２】
前後方向に複数個の基板ケース６２，６４，６６を積層状に配置する場合、ハーネスの接続の都合上、主基板ケース６６は最後部とすることが望ましく、他の表示基板ケース６２、演出基板ケース６４は前後逆でもよい。副基板ケースは表示基板ケース６２、演出基板ケース６４以外のものでもよい。
【００８３】
固定手段７４は各基板ケース６２，６４，６６を纏めて固定できるものであれば十分であり、実施例に例示の係合手段７５、係止手段７６以外のものでもよい。係止手段７６は各基板ケース６２，６４，６６毎に設けてもよい。また係合手段７５の被係合部７７、係合部７９は上下方向の略同一位置に前後方向に位置を変えて設けてもよい。
【００８４】
実施例では、ケース取り付け部６０の外周を囲繞壁７３で取り囲んでいるが、後方に突出する突起状のものを周方向に複数個設けたり、柵状のものを設けたりする等、全体としてケース取り付け部６０を取り囲む囲繞枠を構成するものであればよい。
【００８５】
遊技盤１１から最後部の基板ケース６６の裏面までの寸法は、遊技盤１１から画像表示手段１４の裏面までの寸法と略同一であることが望ましいが、必ずしも略同一である必要はなく、画像表示手段１４の裏面までの寸法よりも多少小さいか大きい程度でもよい。
【００８６】
ロック手段８７は両ケース体８５，８６を副基板６１，６３の板面方向に相対摺動させたときに分離不能にロックするようにしているが、その摺動方向は基板ケース６２，６４の長手方向でもよい。またロック手段８７は両ケース体８５，８６の副基板６１，６３の板厚方向への相対移動を規制する第１係合手段９３と、両ケース体８５，８６の板面方向への相対摺動を規制する第２係合手段９４とに分けて構成することにより、夫々の構造を簡単にできるが、両係合手段９３，９４を１個に合体した構造のものでもよい。第１ケース体８５、第２ケース体８６はどちらが底側、蓋側でもよい。
【００８７】
ロック手段８７を設ける場合、両ケース体８５，８６の周壁部８８，８９を利用して、その周壁部８８，８９相互間に設ける他、周壁部８８，８９から分離して係合手段９３，９４を設けてもよい。外周縁９０はロック手段８７に対する不正行為を防止する上では、ロック手段８７に対応する部分を覆うように設けるのが望ましいが、両ケース体８５，８６を相対摺動させたときに生じる周壁部８８，８９を覆うためには、その部分に対応して設けてもよい。第１係合手段９３の摺動方向の係合量が十分な場合には、第１係合手段９３と第２係合手段９４は共に１個でもよい。
【００８８】
中継基板２６を配置する上で避けるべき遊技部品として、特別図柄始動手段１６、大入賞手段１７の入賞手段を例示しているが、突出量が大きいものであれば普通入賞手段１８でもよいし、また入賞手段１６〜１８以外の遊技部品でもよい。また実施例では、下後壁部３９を突出量の最も大きい特別図柄始動手段（入賞手段）１６の後端と略同じ位置で支持枠２２から下方に突出させて設け、この下後壁部３９に裏側から形成した凹部１０３に中継基板２６を配置しているが、凹部１０３の底部に対応する位置から板状の下後壁部３９を突出させてもよい。
【００８９】
裏カバー２５の後壁部７１は、中継基板２６の裏側のコネクタ等と干渉しない範囲内で支持枠２２の下後壁部３９に近接させてもよい。後壁部３９の下端の底壁部４０は省略してもよい。
【００９０】
画像表示手段１４の画像表示部２７とインバータ基板２８は前後に重ならなければ、左右に配列する他、上下に配列してもよい。また画像表示部２７とインバータ基板２８との配列方向と略直交する方向の寸法は略同じにしてもよい。保持枠４３は画像表示部２７とインバータ基板２８の配列方向に応じて横長偏平状の他、縦長状でもよい。
【００９１】
保持枠４３は支持枠２２の上後壁部３５の取り付け凹部４７内に設けるのが望ましいが、上後壁部３５に保持枠４３用の位置決め突起等を設けて、取り付け凹部４７を省略してもよい。また遊技盤１１から画像表示部２７、インバータ基板２８を含む保持枠４３の後端までの寸法は、遊技盤１１から支持枠２２の後端までの寸法とが略同一である他、画像表示手段１４側が支持枠２２の後端よりも若干後方に突出してもよい。更にパチンコ機の他、アレンジボール機等の各種の弾球遊技機においても同様に実施可能である。
【図面の簡単な説明】
【００９２】
【図１】本発明の第１の実施例を示すパチンコ機の正面図である。
【図２】同遊技盤の背面図である。
【図３】同遊技盤の背面側の斜視図である。
【図４】同図２のａ−ａ矢視断面図である。
【図５】同画像表示手段、支持枠、裏カバーの分解斜視図である。
【図６】同図２のｂ−ｂ矢視破断図である
【図７】同保持枠の固定部の斜視図である。
【図８】同図２のｃ−ｃ矢視断面図である。
【図９】同インバータ基板の固定部の斜視図である。
【図１０】同図２のｄ−ｄ矢視断面図である。
【図１１】同図２のｅ−ｅ矢視断面図である。
【図１２】同裏カバー、基板ケースの分解斜視図である。
【図１３】同基板ケースの分解斜視図である。
【図１４】同ケース体のロック部の背面断面図である。
【図１５】同ケース体の組立て方法の説明図である。
【図１６】同中継基板側の背面図である。
【符号の説明】
【００９３】
１１  遊技盤
１６  特別図始動手段（遊技部品）
１７  大入賞手段（遊技部品）
１８  普通入賞手段（遊技部品）
６５  主基板
２６  中継基板
２２  支持枠
３９  後壁部
２５  裏カバー
１０３  凹部
４０  底壁部
【図１】
2010115310.tif 000003
【図２】
2010115310.tif 000004
【図３】
2010115310.tif 000005
【図４】
2010115310.tif 000006
【図５】
2010115310.tif 000007
【図６】
2010115310.tif 000008
【図７】
2010115310.tif 000009
【図８】
2010115310.tif 000010
【図９】
2010115310.tif 000011
【図１０】
2010115310.tif 000012
【図１１】
2010115310.tif 000013
【図１２】
2010115310.tif 000014
【図１３】
2010115310.tif 000015
【図１４】
2010115310.tif 000016
【図１５】
2010115310.tif 000017
【図１６】
2010115310.tif 000018